(57)【要約】【課題】印刷装置で特定の印刷媒体に印刷させる画像を作成するソフトウェアと、当該ソフトウェアにより作成された画像を示す印刷データを印刷装置へ送信するソフトウェアとの協働により、作成された画像の試印刷及び本印刷を効率的に行わせる。【解決手段】画像処理プログラムは、情報処理装置に、画像生成処理（Ｓ１１０）と、画像表示処理（Ｓ１３０）と、印刷モード設定処理（Ｓ１２０）と、画像情報生成処理（Ｓ１６０，Ｓ２００）と、画像情報引渡処理（Ｓ２６０）とを実行させる。画像情報生成処理は、印刷モードが本印刷モードであるか試印刷モードであるかに応じて、印刷媒体が異なる印刷用画像情報を生成する。画像情報引渡処理は、生成された印刷用画像情報を印刷プログラムへ引き渡す。【選択図】図５
2019067107.tif 000002
【特許請求の範囲】
【請求項１】
表示部と、
入力部と、
制御部と、
を備えた情報処理装置において前記制御部が実行可能な画像処理プログラムであって、
前記制御部は、印刷プログラムを実行するように構成されており、
前記印刷プログラムは、前記制御部に、前記制御部が前記画像処理プログラムを実行することに応じて前記印刷プログラムへ引き渡された、画像データを含む印刷用画像情報に基づいて、前記画像データが示す画像を印刷装置で印刷させるための印刷データを生成して前記印刷装置へ送信させる処理を実行させるように構成されており、
前記画像処理プログラムは、
前記制御部に、
前記印刷装置において特定の印刷媒体に印刷させる画像を生成する画像生成処理と、
前記画像生成処理により生成された画像を前記表示部に表示させる画像表示処理と、
前記入力部を介して入力される設定操作に基づいて、印刷モードを本印刷モード及び試印刷モードの何れかに設定する印刷モード設定処理と、
前記画像生成処理により生成された画像を示す前記画像データを含む前記印刷用画像情報を生成する画像情報生成処理であって、前記印刷モードが前記本印刷モードの場合は、前記画像を前記特定の印刷媒体に印刷させるための前記印刷用画像情報を生成し、前記印刷モードが前記試印刷モードの場合は、前記画像を前記印刷装置において前記特定の印刷媒体とは異なる他の印刷媒体に印刷させるための前記印刷用画像情報を生成する、前記画像情報生成処理と、
前記画像情報生成処理により生成された前記印刷用画像情報を前記印刷プログラムへ引き渡す画像情報引渡処理と、
を実行させる画像処理プログラム。
【請求項２】
請求項１に記載の画像処理プログラムであって、
前記画像表示処理は、前記印刷モードが前記本印刷モードの場合は、前記画像を、前記特定の印刷媒体に印刷された状態を表す表示態様で表示させ、前記印刷モードが前記試印刷モードの場合は、前記画像を、前記他の印刷媒体に印刷された状態を表す表示態様で表示させるように構成されている、
画像処理プログラム。
【請求項３】
請求項１又は請求項２に記載の画像処理プログラムであって、
前記画像情報生成処理は、前記印刷モードが前記試印刷モードの場合、前記画像生成処理により生成された画像に対してさらに、前記特定の印刷媒体の外縁又は前記特定の印刷媒体における前記画像を印刷可能な領域の外縁を示す外縁画像が付加された画像を示す前記画像データを生成するように構成されている、
画像処理プログラム。
【請求項４】
請求項１〜請求項３のいずれか１項に記載の画像処理プログラムであって、
前記制御部に、さらに、
前記印刷モードが前記試印刷モードの場合に前記画像情報引渡処理によって前記印刷用画像情報が前記印刷プログラムへ引き渡された後、前記印刷モードを前記本印刷モードに変更するか否かを問い合わせる問合せ画面を前記表示部に表示させる問合せ処理と、
前記問合せ画面に対する前記本印刷モードへの変更の要否を前記入力部を介して受け付ける変更要否受付処理と、
前記変更要否受付処理により前記本印刷モードへの変更要求が受け付けられた場合、前記印刷モードを前記本印刷モードに変更する印刷モード変更処理と、
を実行させ、
前記印刷モード変更処理により前記印刷モードが前記本印刷モードに変更されたことに応じて、前記画像情報生成処理及び前記画像情報引渡処理を実行させるように構成されている、
画像処理プログラム。
【請求項５】
請求項１〜請求項３のいずれか１項に記載の画像処理プログラムであって、
前記制御部に、さらに、  
前記印刷モードが前記試印刷モードの場合に前記画像情報引渡処理によって前記印刷用画像情報が前記印刷プログラムへ引き渡され、前記引き渡された印刷用画像情報に基づく前記印刷データが前記印刷プログラムに従って前記印刷装置へ送信された後に、前記印刷モードを前記本印刷モードへ変更する印刷モード変更処理、
を実行させ、
前記印刷モード変更処理により前記印刷モードが前記本印刷モードに変更されたことに応じて、前記画像情報生成処理及び前記画像情報引渡処理を実行させるように構成されている、
画像処理プログラム。
【請求項６】
請求項１〜請求項５の何れか１項に記載の画像処理プログラムであって、
前記制御部に、さらに、
前記印刷プログラムに対し、前記印刷用画像情報が引き渡されてから前記印刷用画像情報に基づく前記印刷データを前記印刷装置に送信するまでの送信処理を、前記入力部を介した入力操作を要する第１の手順、又は前記第１の手順よりも前記入力操作が少ない若しくは前記入力操作を要しない第２の手順のどちらで行わせるかを、前記入力部を介して指定させる手順指定処理、
を実行させ、
前記画像情報生成処理は、前記手順指定処理により指定された前記第１の手順又は前記第２の手順を示す手順情報を含む前記印刷用画像情報を生成するように構成され、
前記印刷プログラムは、前記制御部に、前記印刷用画像情報に含まれている前記手順情報が示す前記第１の手順又は前記第２の手順に従って前記送信処理を実行するように構成されている、
画像処理プログラム。
【請求項７】
請求項１〜請求項６のいずれか１項に記載の画像処理プログラムであって、
前記印刷モード設定処理が設定可能な前記印刷モードは、さらに、両印刷モードを含み、
前記画像情報生成処理は、前記印刷モードが前記両印刷モードの場合、前記画像を前記特定の印刷媒体に印刷させるための前記印刷用画像情報、及び前記画像を前記他の印刷媒体に印刷させるための前記印刷用画像情報を生成するように構成されており、
前記画像情報引渡処理は、前記画像情報生成処理により生成された各前記印刷用画像情報を前記印刷プログラムへ引き渡すように構成されている、
画像処理プログラム。
【請求項８】
請求項１〜請求項７のいずれか１項に記載の画像処理プログラムであって、
前記制御部に、さらに、
前記印刷モードが前記本印刷モードに設定されている場合、前記本印刷モードに応じた前記印刷データが前記印刷プログラムに従って前記印刷装置へ送信された後に、前記送信された印刷データが示す画像が前記印刷装置で印刷されるために必要な前記印刷装置の状態に関するメッセージを前記表示部に表示させるメッセージ表示処理、
を実行させる画像処理プログラム。
【請求項９】
請求項１〜請求項８のいずれか１項に記載の画像処理プログラムであって、
前記特定の印刷媒体は、データを記憶可能に構成された、円板状の形状を有する被記憶媒体であり、前記被記憶媒体の表面における円状の領域に画像を印刷可能に構成されている、画像処理プログラム。
【請求項１０】
請求項９に記載の画像処理プログラムであって、
前記画像情報生成処理は、前記印刷モードが前記試印刷モードの場合、前記画像を矩形形状の紙媒体に印刷させるための前記印刷用画像情報を生成するように構成されている、
画像処理プログラム。
【請求項１１】
請求項９又は請求項１０に記載の画像処理プログラムであって、
前記被記憶媒体における画像を印刷可能な前記円状の領域は、前記円状の領域の中心部において画像を印刷できない同心円状の印刷不可領域を有し、
前記画像情報生成処理は、前記印刷モードが前記試印刷モードの場合、前記画像生成処理により生成された画像における、前記印刷不可領域に対応する部分に、前記被記憶媒体に印刷できない領域であることを示す特定の画像が描画された画像を示す、前記画像データを生成するように構成されている、
画像処理プログラム。
【請求項１２】
表示部と、
入力部と、
制御部と、
を備えた情報処理装置であって、
前記制御部は、印刷プログラム及び画像処理プログラムを実行するように構成されており、
前記制御部は、前記画像処理プログラムに従い、
印刷装置において特定の印刷媒体に印刷させる画像を生成する画像生成処理と、
前記画像生成処理により生成された画像を前記表示部に表示させる画像表示処理と、
前記入力部を介して入力される設定操作に基づいて、印刷モードを本印刷モード及び試印刷モードの何れかに設定する印刷モード設定処理と、
前記画像生成処理により生成された画像を示す画像データを含む印刷用画像情報を生成する画像情報生成処理であって、前記印刷モードが前記本印刷モードの場合は、前記画像を前記印刷装置において前記特定の印刷媒体に印刷させるための前記印刷用画像情報を生成し、前記印刷モードが前記試印刷モードの場合は、前記画像を前記印刷装置において前記特定の印刷媒体とは異なる他の印刷媒体に印刷させるための前記印刷用画像情報を生成する、前記画像情報生成処理と、
前記画像情報生成処理により生成された前記印刷用画像情報を前記印刷プログラムへ引き渡す画像情報引渡処理と、
を実行し、
前記制御部は、さらに、前記印刷プログラムに従い、
前記画像情報引渡処理により引き渡された前記印刷用画像情報に基づいて、前記印刷用画像情報に含まれている前記画像データが示す画像を前記印刷装置で印刷させるための印刷データを生成して前記印刷装置へ送信させる送信処理、
を実行する情報処理装置。
【請求項１３】
表示部を備えた情報処理装置で用いられる画像処理方法であって、
前記情報処理装置は、画像処理プログラム及び印刷プログラムを備え、
前記画像処理方法は、
前記画像処理プログラムに従って実行される、
印刷装置において特定の印刷媒体に印刷させる画像を生成する画像生成ステップと、
前記画像生成ステップにより生成された画像を前記表示部に表示させる画像表示ステップと、
入力される設定操作に基づいて、印刷モードを本印刷モード及び試印刷モードの何れかに設定する印刷モード設定ステップと、
前記画像生成ステップにより生成された画像を示す画像データを含む印刷用画像情報を生成する画像情報生成ステップであって、前記印刷モードが前記本印刷モードの場合は、前記画像を前記印刷装置において前記特定の印刷媒体に印刷させるための前記印刷用画像情報を生成し、前記印刷モードが前記試印刷モードの場合は、前記画像を前記印刷装置において前記特定の印刷媒体とは異なる他の印刷媒体に印刷させるための前記印刷用画像情報を生成する、前記画像情報生成ステップと、
前記画像情報生成ステップにより生成された前記印刷用画像情報を前記印刷プログラムへ引き渡す画像情報引渡ステップと、
を有し、
さらに、前記印刷プログラムに従って実行される、
前記画像情報引渡ステップにより引き渡された前記印刷用画像情報に基づいて、前記印刷用画像情報に含まれている前記画像データが示す画像を前記印刷装置で印刷させるための印刷データを生成して前記印刷装置へ送信させる送信ステップ、
を有する画像処理方法。
【発明の詳細な説明】
【技術分野】
【０００１】
本発明は、印刷媒体に印刷させる画像を処理する技術に関する。
【背景技術】
【０００２】
ＣＤやＤＶＤなどの情報記憶媒体におけるレーベル面に画像を印刷する技術が知られている。特許文献１には、画像オブジェクトを含む、レーベル面に印刷させる印刷対象画像のデータを、情報処理装置において生成し、その生成したデータを印刷装置へ送信することにより、印刷対象画像をレーベル面に印刷させる技術が開示されている。
【先行技術文献】
【特許文献】
【０００３】
【特許文献１】特開２０１１−７６６７４号公報
【発明の概要】
【発明が解決しようとする課題】
【０００４】
ユーザがレーベル面に印刷させる画像を作成した場合、すぐにレーベル面に印刷させる本印刷を行う前に、レーベル面とは異なる印刷媒体に試印刷させ、試印刷の後に本印刷を行うことをユーザが望むことが想定される。
【０００５】
一方、レーベル面に印刷させる画像を作成するソフトウェア（以下、レーベル作成アプリと称する）を、印刷データを印刷装置へ送信するソフトウェア（以下、印刷アプリと称する）とは別に実装することが考えられる。例えば、レーベル作成アプリを、印刷アプリに対するプラグインとして実装することが考えられる。
【０００６】
このようにレーベル作成アプリが印刷アプリとは別に実装される場合、レーベル作成アプリで作成された画像を印刷装置で試印刷させるための手順が煩雑になる可能性がある。特に、試印刷させた後さらに本印刷させる際には、各アプリをユーザが必要に応じて切り替えながら利用する必要が生じ、多くの手間がかかる可能性がある。
【０００７】
本発明は上記課題に鑑みなされたものであり、印刷装置で特定の印刷媒体に印刷させる画像を作成するソフトウェアと、当該ソフトウェアにより作成された画像を示す印刷データを印刷装置へ送信するソフトウェアとの協働により、作成された画像の試印刷及び本印刷を効率的に行わせることができるようにすることを目的とする。
【課題を解決するための手段】
【０００８】
本発明の画像処理プログラムは、表示部と、入力部と、制御部とを備えた情報処理装置において制御部が実行可能なプログラムである。制御部は、印刷プログラムを実行するように構成されている。印刷プログラムは、制御部に、制御部が画像処理プログラムを実行することに応じて印刷プログラムへ引き渡された、画像データを含む印刷用画像情報に基づいて、画像データが示す画像を印刷装置で印刷させるための印刷データを生成して印刷装置へ送信させる処理を実行させる。
【０００９】
画像処理プログラムは、制御部に、画像生成処理と、画像表示処理と、印刷モード設定処理と、画像情報生成処理と、画像情報引渡処理とを実行させる。
画像生成処理は、印刷装置において特定の印刷媒体に印刷させる画像を生成する処理である。画像表示処理は、画像生成処理により生成された画像を表示部に表示させる処理である。印刷モード設定処理は、入力部を介して入力される設定操作に基づいて、印刷モー
ドを本印刷モード及び試印刷モードの何れかに設定する処理である。
【００１０】
画像情報生成処理は、画像生成処理により生成された画像を示す画像データを含む印刷用画像情報を生成する処理であって、印刷モードが本印刷モードの場合は、生成された画像を前記特定の印刷媒体に印刷させるための印刷用画像情報を生成し、印刷モードが試印刷モードの場合は、生成された画像を印刷装置において前記特定の印刷媒体とは異なる他の印刷媒体に印刷させるための印刷用画像情報を生成する。
【００１１】
画像情報引渡処理は、画像情報生成処理により生成された印刷用画像情報を印刷プログラムへ引き渡す処理である。
このような構成の画像処理プログラムを実行させることで、ユーザは、印刷モードを試印刷モード及び本印刷モードの何れかに容易に設定でき、設定された印刷モードに応じた印刷用画像情報が印刷プログラムへ引き渡される。これにより、印刷プログラムによって、印刷モードに応じた印刷データが印刷装置へ送信され、印刷装置において印刷モードに応じた印刷媒体で画像が印刷される。
【００１２】
したがって、本発明の画像処理プログラムによれば、印刷アプリとの協働にて、当該画像処理プログラムで作成された画像の試印刷及び本印刷を効率的に行わせることが可能となる。
【図面の簡単な説明】
【００１３】
【図１】実施形態のレーベル印刷システムの構成を示す構成図である。
【図２】レーベル作成アプリによって印刷モードを設定できることを示す説明図である。
【図３】印刷アプリによる試印刷用の印刷データの送信後に自動的にレーベル作成アプリがフォアグラウンドに遷移することを示す説明図である。
【図４】（ａ）は印刷アプリによる本印刷用の印刷データ送信時の画面遷移例を示し、（ｂ）はレーベル作成アプリにより本印刷モード時に表示される本体確認ガイダンスの一例を示す。
【図５】レーベル作成アプリによるレーベル画像作成処理の一部を示すフローチャートである。
【図６】レーベル作成アプリによるレーベル画像作成処理の他の一部（図５の続き）を示すフローチャートである。
【図７】印刷アプリによる印刷データ送信処理の一部を示すフローチャートである。
【図８】印刷アプリによる印刷データ送信処理の他の一部（図７の続き）を示すフローチャートである。
【発明を実施するための形態】
【００１４】
以下、本発明の実施形態について、図面を参照しながら説明する。
［実施形態］
（１）レーベル印刷システムの構成
図１に示すように、本実施形態のレーベル印刷システムは、情報処理装置１０と、印刷装置５とを備える。本実施形態のレーベル印刷システムは、円板状の形状の被記憶媒体８におけるレーベル面８ａに画像を印刷可能に構成されている。レーベル面８ａは、被記憶媒体８の両面のうち一方の面である。
【００１５】
具体的に、レーベル面８ａに印刷させる画像を情報処理装置１０で生成し、その生成した画像に基づく印刷データを印刷装置５へ送信することで、印刷装置５においてその印刷データに基づく画像を被記憶媒体８のレーベル面８ａに印刷させることができる。
【００１６】
なお、レーベル面８ａの中央部には、画像を印刷できない同心円領域である中空の内径領域８ｂが、同心円状に設けられている。内径領域８ｂは、その一部又は全てが、板面に垂直方向に貫通された孔を有する。本実施形態の被記憶媒体８は、例えばＣＤ、ＤＶＤなどの、データを記憶可能に構成された円板状の形状の被記憶媒体（以下、「ディスク」と称する）である。
【００１７】
（２）情報処理装置の構成
情報処理装置１０は、例えばスマートフォン、タブレット端末などの、無線通信可能な携帯型の通信端末である。図２〜図４は、情報処理装置１０を正面視した状態を示している。
【００１８】
情報処理装置１０は、制御部１１と、記憶部１２と、表示部１３と、入力部１４と、第１無線通信部１５と、第２無線通信部１６と、外部Ｉ／Ｆ１７と、音声入出力部１８と、撮影部１９とを備える。これら各部は、バスライン２０を介して互いにデータの送受が可能に接続されている。なお、Ｉ／Ｆはインタフェース部の略称である。
【００１９】
制御部１１は、例えばＣＰＵを有する。記憶部１２は、例えばＲＯＭ、ＲＡＭ、ＮＶＲＡＭ、フラッシュメモリなどの半導体メモリを有する。即ち、本実施形態の情報処理装置１０は、ＣＰＵ及び半導体メモリを含むマイクロコンピュータを備えている。
【００２０】
制御部１１は、非遷移的実体的記録媒体に格納されたプログラムを実行することにより各種機能を実現する。本実施形態では、記憶部１２が、プログラムを格納した非遷移的実体的記録媒体に該当する。情報処理装置１０が有する各種機能は、基本的には、制御部１１が記憶部１２に記憶されているプログラムを実行することにより実現される。なお、制御部１１により実現される各種機能は、プログラムの実行によって実現することに限るものではなく、その一部又は全部について、一つあるいは複数のハードウェアを用いて実現してもよい。
【００２１】
記憶部１２には、各種のソフトウェアやデータが記憶されている。本実施形態では、記憶部１２に、ソフトウェアとして、ＯＳ（オペレーティングシステムの略称）１２ａと、レーベル作成アプリ１２ｂと、印刷アプリ１２ｃとが記憶されている。ＯＳ１２ａ、レーベル作成アプリ１２ｂ及び印刷アプリ１２ｃは、制御部１１を含むコンピュータシステムにインストールされている。
【００２２】
なお、以下の説明では、プログラムを実行する制御部１１（詳しくは制御部１１が有する不図示のＣＰＵ）のことを、単にプログラム名で記載する場合もある。例えば「レーベル作成アプリ１２ｂは」という記載が「レーベル作成アプリ１２ｂを実行するＣＰＵは」を意味する場合もある。
【００２３】
レーベル作成アプリ１２ｂは、レーベル面８ａに印刷させる画像の画像データを生成し、印刷アプリ１２ｃへ引き渡すように構成されたアプリケーションソフトである。レーベル作成アプリ１２ｂは、少なくとも、ユーザにより選択された画像オブジェクトとテキストとを含む画像の画像データを生成することができる。
【００２４】
印刷アプリ１２ｃは、レーベル作成アプリ１２ｂから引き渡された画像データに基づき、その画像データが示す画像を印刷装置５で印刷させるための印刷データを生成して印刷装置５へ送信させるように構成されている。なお、レーベル作成アプリ１２ｂは、印刷アプリ１２ｃのプラグインとして提供されてもよい。
【００２５】
表示部１３は、例えば液晶ディスプレイや有機ＥＬディスプレイなどの、画像を表示可
能な表示デバイスを有する。
入力部１４は、各種入力操作を受け付けるための入力用デバイスを有する。入力部１４が有する入力用デバイスには、タッチパネル１４ａが含まれる。タッチパネル１４ａは、表示部１３が有する表示デバイスにおける画像の表示領域２５（図２〜図４参照）に重畳配置される。
【００２６】
タッチパネル１４ａは、表示部１３における画像の表示領域に対する、指先やペンなどの指示体による、特定の位置を指示する指示操作を検出することが可能に構成された入力装置である。ここでいう「指示」とは、指示体が接触すること及び近接することの少なくとも一方を含む。タッチパネル１４ａは、指示体による指示操作が行われると、指示操作が行われた位置を示す操作検出信号を出力する。
【００２７】
制御部１１は、タッチパネル１４ａから出力される操作検出信号に基づいて、指示体検出処理を行う。指示体検出処理は、指示体による指示操作の有無、指示操作がなされた位置、指示操作の具体的種類などを検出する処理である。指示体検出処理は、例えばＯＳ１２ａによって行われてその処理結果がレーベル作成アプリ１２ｂ及び印刷アプリ１２ｃへ通知されるようにしてもよい。また例えば、指示体検出処理は、レーベル作成アプリ１２ｂ及び印刷アプリ１２ｃの各々が操作検出信号に基づいて行うようにしてもよい。指示体検出処理によって検出可能な指示操作の種類として、本実施形態では、例えば、タップ、ドラッグ、フリック、ピンチイン、ピンチアウトなどがある。
【００２８】
外部Ｉ／Ｆ１７は、書き換え可能な不揮発性の記憶媒体（不図示）が装着されるインタフェース部であり、装着された記憶媒体に対するデータの書き込み及び読み出しを制御する。音声入出力部１８は、マイクやスピーカなどで構成された音声入出力用デバイスである。撮影部１９は、いわゆるデジタルカメラとしての機能を担うものであり、画像を撮影してその画像を示す画像データを生成することができる。撮影部１９で撮影された画像データは、例えば記憶部１２に記憶される。
【００２９】
第１無線通信部１５は、例えば、無線ＬＡＮ規格による通信（以下「無線ＬＡＮ通信」と称す）を行うためのインタフェース部である。本実施形態では、第１無線通信部１５が行う無線ＬＡＮ通信は、ＩＥＥＥ８０２．１１ｂ／ｇ／ｎの規格に準拠した無線ＬＡＮ通信である。
【００３０】
情報処理装置１０は、第１無線通信部１５を介して、印刷装置５と無線ＬＡＮ通信を行うことができる。印刷アプリ１２ｃで生成された印刷データは、本実施形態では、無線ＬＡＮ通信にて印刷装置５へ送信される。なお、印刷装置５との無線ＬＡＮ通信は、いわゆるアドホックモードにて直接行うことが可能であり、且つ、いわゆるインフラストラクチャモードにて不図示の中継装置を経由して行うことも可能である。
【００３１】
第２無線通信部１６は、不図示の移動通信網を介した音声通話やデータ通信を行うためのインタフェース部である。第２無線通信部１６は、例えば、ＬＴＥ規格による無線通信を行うことが可能な構成であってもよい。なお、「ＬＴＥ」は、「Ｌｏｎｇ  Ｔｅｒｍ  Ｅｖｏｌｕｔｉｏｎ」の略称である。
【００３２】
（３）印刷装置の構成
印刷装置５は、情報処理装置１０から受信された印刷データに基づく画像をディスク８のレーベル面８ａに印刷するレーベル印刷機能を有する。印刷装置５は、情報処理装置１０から、印刷媒体としてディスク８が指定された印刷データが受信されると、その印刷データが示す画像を、ディスク８のレーベル面８ａに印刷する。ユーザは、レーベル印刷機能を利用して、ディスク８のレーベル面８ａに画像を印刷させることができる。
【００３３】
印刷装置５は、インクジェット技術又は電子写真技術を用いた印刷機構を有し、入力された印刷データが示す画像を印刷機構によって各種の印刷媒体に印刷することが可能に構成されている。また、印刷装置５は、情報処理装置１０を含む他の各種装置と無線ＬＡＮ通信を行うことができる。
【００３４】
印刷装置５が印刷可能な印刷媒体には、ディスク８以外に、少なくとも一種類の他の印刷媒体が含まれる。他の印刷媒体は、例えば、普通紙、はがき、写真専用用紙などの矩形形状の紙媒体を含む。また、印刷可能な紙媒体のサイズも複数種類ある。例えば普通紙の場合、印刷可能な普通紙のサイズには、例えばＡ４、Ａ３、Ｂ５などが含まれる。
【００３５】
（４）レーベル作成アプリ１２ｂ及び印刷アプリ１２ｃの機能の概要
情報処理装置１０が起動され、レーベル作成アプリ１２ｂを実行させるための特定の起動操作が行われると、制御部１１によりレーベル作成アプリ１２ｂが実行される。
【００３６】
印刷アプリ１２ｃは、レーベル作成アプリ１２ｂと同じように起動操作に応じて実行されてもよいし、制御部１１の起動時に自動的に起動されて常駐されていてもよいし、レーベル作成アプリ１２ｂの起動時あるいはレーベル作成アプリ１２ｂからデータが引き渡されるときに実行されてもよい。
【００３７】
レーベル作成アプリ１２ｂは、実行開始後、表示部１３の表示領域２５内に不図示のレイアウト選択画面を表示させる。レイアウト選択画面は、レーベル面８ａに対する画像オブジェクトのレイアウトを複数種類のレイアウトの中から１つユーザに選択させるための画面である。ユーザは、レイアウト選択画面に表示されている複数のレイアウト画像のうちいずれか１つをタップ操作することで、そのタップ操作したレイアウト画像に対応したレイアウトを選択することができる。
【００３８】
レーベル作成アプリ１２ｂは、レイアウト選択画面に対するユーザの選択操作に基づき、選択されたレイアウトを印刷用レイアウトに設定する。
レーベル作成アプリ１２ｂは、印刷用レイアウトを設定した場合、表示部１３の表示領域２５内に、不図示の写真選択画面を表示させる。写真選択画面は、レーベル面８ａに印刷させる画像オブジェクトをユーザに選択させるための画面である。写真選択画面には、例えば、記憶部１２の所定フォルダに記憶されている写真のデータのサムネイルが一覧表示される。ユーザは、レーベル面８ａに印刷させたい写真のサムネイルをタップ操作することで、そのサムネイルに対応した写真を、画像オブジェクトとして選択することができる。
【００３９】
レーベル作成アプリ１２ｂは、写真選択画面に表示されている複数のサムネイルのうち１つがタップ操作された場合、そのタップ操作されたサムネイルに対応した写真を、レーベル面８ａに印刷させる画像オブジェクトに設定する。
【００４０】
レーベル作成アプリ１２ｂは、画像オブジェクトを設定した場合、表示領域２５内に不図示の写真調整画面を表示させる。写真調整画面は、設定された印刷用レイアウトにおける画像オブジェクトを配置可能な領域に対する、画像オブジェクトを配置させる位置や画像オブジェクトのサイズを、ユーザに調整させるための画面である。写真調整画面において画像オブジェクトの位置、サイズ等が決定されると、レーベル作成アプリ１２ｂは、図２左に示すレーベル編集画面３０を表示させる。
【００４１】
レーベル編集画面３０は、媒体表示画像３１と、編集完了ボタン３２とを含む。媒体表示画像３１は、写真調整画面で決定された画像オブジェクトを含む、レーベル面８ａに印
刷させる画像を示す。媒体表示画像３１は、レーベル面８ａに印刷させる画像がレーベル面８ａに配置された状態で示される。
【００４２】
レーベル編集画面３０においては、ユーザは、テキストを編集することができる。具体的に、レーベル作成アプリ１２ｂは、ユーザの操作に従い、テキストの内容、サイズ、色、位置などを変更する。
【００４３】
レーベル編集画面３０において、編集完了ボタン３２がタップされると、レーベル作成アプリ１２ｂは、そのタップされた時点の媒体表示画像３１の内容を、レーベル面８ａに印刷させる画像として確定する。そして、レーベル作成アプリ１２ｂは、図２中央に示す印刷設定画面４０を表示させる。
【００４４】
印刷設定画面４０には、媒体サイズ情報４３、内径設定ボタン４４，印刷モード設定スイッチ４５、クイック印刷設定スイッチ４６、及び印刷ボタン４７が含まれる。
印刷モード設定スイッチ４５は、印刷モードを、本印刷を行わせる本印刷モード、及び試印刷を行わせる試印刷モード、のうちいずれか一方に設定するための、ソフトウェアトグルスイッチである。
【００４５】
ユーザは、印刷モード設定スイッチ４５をタッチパネル１４ａを介して操作することで印刷モードを設定できる。印刷モードの初期値は、本実施形態では、本印刷モードである。  図２中央は、印刷モードが本印刷モードに設定されている状態を示している。図２右は、印刷モードが試印刷モードに設定されている状態を示している。
【００４６】
クイック印刷設定スイッチ４６は、クイック印刷機能を有効又は無効に設定するためのソフトウェアトグルスイッチである。ユーザは、クイック印刷設定スイッチ４６をタッチパネル１４ａを介して操作することで、クイック印刷機能を有効又は無効に設定できる。クイック印刷機能が有効に設定されると、後述するように印刷装置５においてクイック印刷が実行される。クイック印刷機能が無効に設定されると、後述するように印刷装置５において通常印刷が実行される。クイック印刷機能は、初期状態では無効に設定されている。
【００４７】
クイック印刷機能とは、印刷アプリ１２ｃによりプリントプレビュー表示をさせるか否かの設定を行わせるための機能である。クイック印刷機能が有効に設定されている場合は、印刷アプリ１２ｃによりプリントプレビュー表示を行う事なく、印刷データが印刷装置５に送信される。クイック印刷機能が無効に設定されている場合は、印刷アプリ１２ｃによりプリントプレビュー表示を行い、プリントボタン６３を操作することで、印刷データが印刷装置５に送信される。
【００４８】
媒体サイズ情報４３は、本印刷時の印刷媒体であるディスク８のサイズを示す情報である。媒体サイズ情報４３は、具体的には、ディスク８の内径及び外径を示す情報を含む。なお、内径とは、内径領域８ｂの直径である。
【００４９】
内径設定ボタン４４は、ディスク８の内径のサイズを設定する際に操作されるボタンである。内径設定ボタン４４がタップされると、内径のサイズを設定するための設定画面が表示され、ユーザは、その設定画面を介して、内径のサイズを、実際に印刷させるディスクの内径に合った値に設定できる。
【００５０】
また、印刷設定画面４０には、生成された画像データの印刷結果のイメージを示すプレビュー画像が表示される。本実施形態では、本印刷プレビュー画像４１（図２中央参照）及び試印刷プレビュー画像５１（図２右参照）の２種類のプレビュー画像のうち、設定さ
れている印刷モードに対応したいずれか一方が表示される。
【００５１】
本実施形態では、レーベル編集画面３０から印刷設定画面４０へ遷移した直後の印刷モードは本印刷モードに設定されている。そのため、レーベル編集画面３０から印刷設定画面４０へ遷移した直後の印刷設定画面４０には、例えば、図２中央に示すように、本印刷プレビュー画像４１が表示される。
【００５２】
本印刷プレビュー画像４１は、生成された画像データが示す作成画像４２がディスク８のレーベル面８ａに印刷された結果を示すプレビュー画像である。
印刷モードが試印刷モードにされると、印刷設定画面４０に表示されるプレビュー画像は、図２右に示す試印刷プレビュー画像５１に切り替わる。試印刷プレビュー画像５１は、生成された画像データが示す作成画像５２がディスク８以外の他の印刷媒体に印刷された結果、即ち他の印刷媒体に試印刷された結果を示すプレビュー画像である。試印刷される他の印刷媒体は、本実施形態では、例えばＡ４サイズの普通紙である。
【００５３】
試印刷プレビュー画像５１においては、作成画像５２に対し、外径境界線５３、内径境界線５４及び内径領域画像５５が付加される。外径境界線５３は、ディスク８の外縁、又はディスク８における作成画像５２を印刷可能なレーベル面８ａの領域の外縁を示す画像である。内径境界線５４は、ディスク８の内径領域８ｂの外縁を示す画像である。内径領域画像５５は、内径領域８ｂ全体を示す画像である。
【００５４】
外径境界線５３、内径境界線５４及び内径領域画像５５は、いずれも、作成画像５２が実際にディスク８に本印刷される際には印刷されない画像である。外径境界線５３、内径境界線５４及び内径領域画像５５は、試印刷される際に、作成画像５２に付加されて印刷される。ディスク８以外の印刷媒体に印刷が行われる試印刷において、外径境界線５３、内径境界線５４及び内径領域画像５５が付加されて印刷されることで、ユーザは、試印刷の結果から、ディスク８に作成画像５２が印刷された状態を的確にイメージできる。
【００５５】
印刷設定画面４０において、印刷ボタン４７がタップされると、レーベル作成アプリ１２ｂは、設定されている印刷モードに応じた作成画像を示す画像データを含む、印刷用画像情報を、ＯＳ１２ａを介して印刷アプリ１２ｃに引き渡し、バックグラウンドに遷移する。印刷用画像情報には、画像データの他、印刷媒体の種類及びサイズを示す情報、後述する印刷コマンドなどが含まれる。
【００５６】
印刷アプリ１２ｃは、レーベル作成アプリ１２ｂから印刷用画像情報を受けると、フォアグラウンドに遷移し、図３左に示すプリントプレビュー画面６０を表示させる。プリントプレビュー画面６０には、図２に示した印刷設定画面４０と同様、印刷モードに応じたプレビュー画像が表示される。
【００５７】
図３左は、図２右に示す状態で印刷ボタン４７がタップされた場合に表示されるプリントプレビュー画面、即ち、印刷モードが試印刷モードに設定されている場合に表示されるプリントプレビュー画面を示している。この場合、プレビュー画像として、試印刷プレビュー画像６１が表示される。なお、印刷モードが本印刷モードの場合は、プリントプレビュー画面６０には、本印刷プレビュー画像６６（図４（ａ）左参照）が表示される。
【００５８】
また、プリントプレビュー画面６０には、印刷装置情報６２及びプリントボタン６３が表示される。印刷装置情報６２は、印刷装置５を示す情報、及び印刷モードに応じた印刷媒体の情報を含む。
【００５９】
プリントボタン６３がタップされると、印刷アプリ１２ｃは、レーベル作成アプリ１２
ｂから引き渡された印刷用画像情報に基づいて印刷データを生成し、印刷装置５へ印刷データを送信する。これにより、レーベル作成アプリ１２ｂで生成された画像データが示す画像が、印刷装置５において、設定された印刷媒体に印刷される。即ち、本印刷及び試印刷のいずれかが行われる。
【００６０】
印刷アプリ１２ｃは、印刷データを送信した後、ＯＳ１２ａを介してレーベル作成アプリ１２ｂをフォアグラウンドに遷移させ、印刷アプリ１２ｃ自身はバックグラウンドに遷移させる。
【００６１】
レーベル作成アプリ１２ｂは、試印刷実行後にフォアグラウンドに遷移すると、図３右に示すように、本印刷問合せ画面５６を表示させる。本印刷問合せ画面５６において、キャンセルボタン５８がタップされた場合は、本印刷に移行させず、印刷設定画面４０を表示させる。本印刷問合せ画面５６において、本印刷実行ボタン５７がタップされた場合は、印刷モードを本印刷モードに切り替え、本印刷用の印刷用画像情報を生成して、印刷アプリ１２ｃへ引き渡す。
【００６２】
これにより、印刷アプリ１２ｃは、図４（ａ）の左側に示すように、プリントプレビュー画面６０を表示させる。この場合、本印刷プレビュー画像６６が表示される。また、印刷装置情報６２において、印刷媒体の情報として、本印刷が行われるレーベルを示す情報が表示される。
【００６３】
本印刷プレビュー画像６６が表示されたプリントプレビュー画面６０において、プリントボタン６３がタップされると、印刷アプリ１２ｃは、図４（ａ）の右側に示すように、本体確認ガイダンス７１を表示させる。
【００６４】
本体確認ガイダンス７１は、ユーザに対し、本印刷のための印刷媒体即ちディスク８が印刷装置５にセットされているかどうかをユーザに確認させるためのメッセージと、ＯＫボタン７２とを含む。ＯＫボタン７２がタップされると、印刷アプリ１２ｃは、本印刷用の印刷データを生成し、印刷装置５へ印刷データを送信する。これにより、印刷装置５において、ディスク８への本印刷が行われる。
【００６５】
なお、レーベル作成アプリ１２ｂは、本印刷用の印刷用画像情報を印刷アプリ１２ｃに引き渡してバックグラウンドに遷移した後、再びフォアグラウンドに遷移された場合は、図４（ｂ）に示すように、本体確認ガイダンス７１を表示させてもよい。この本体確認ガイダンス７１は、印刷アプリ１２ｃが表示させる本体確認ガイダンス７１（図４（ａ）右参照）と同じである。
【００６６】
（５）レーベル画像作成処理
レーベル作成アプリ１２ｂに基づいて制御部１１が実行するレーベル画像作成処理について、図５及び図６を用いて説明する。なお、図５及び図６は、説明の簡素化のため、レーベル画像作成処理全体のうち、レーベル編集画面３０が表示された後の処理を示している。
【００６７】
制御部１１は、起動後、レーベル作成アプリ１２ｂの起動操作が行われた場合、レーベル作成アプリ１２ｂを実行する。制御部１１は、レーベル作成アプリ１２ｂを開始すると、前述のレイアウト選択、写真選択、写真調整などの処理を経て、レーベル編集画面３０（図２左参照）を表示させる。そして、レーベル編集画面３０において編集完了ボタン３２がタップされた場合、Ｓ１１０にて、印刷用の画像を確定する。
【００６８】
Ｓ１２０では、印刷モードの初期値を取得する。本実施形態では、前述の通り、印刷モ
ードの初期値は例えば本印刷モードである。Ｓ１３０では、印刷設定画面４０（図２中央参照）を表示させる。Ｓ１４０では、ユーザにより印刷指示が行われたか否か、即ち、印刷設定画面４０における印刷ボタン４７がタップされたか否か判断する。印刷ボタン４７がタップされた場合は、Ｓ１５０に移行する。
【００６９】
Ｓ１５０では、設定されている印刷モードを判断する。なお、図５には、印刷モードとして、本印刷モード及び試印刷モードのほかに、「両印刷モード」が記載されている。両印刷モードについてはこれまでの説明では触れていないが、図５〜図８の説明においては、印刷モードとして両印刷モードも含む３種類のモードを選択的に設定できるものとして説明する。なお、両印刷モードは、試印刷と本印刷の両方を連続的に印刷させる印刷モードである。
【００７０】
印刷モードが試印刷モードである場合は、Ｓ２００に進む。Ｓ２００では、試印刷用の画像データを生成する。Ｓ２１０では、Ｓ２００で生成した画像データを、外径境界線５３及び内径境界線５４が描画された画像に加工する。Ｓ２２０では、媒体サイズをＡ４に設定し、媒体種類を普通紙に設定する。Ｓ２３０では、印刷コマンドを取得する。ここで取得する印刷コマンドは、クイック印刷機能の設定内容を示す情報である。クイック印刷が有効に設定されている場合は、クイック印刷コマンドが取得され、クイック印刷が無効に設定されている場合は、通常印刷コマンドが取得される。Ｓ２４０では、試印刷中フラグをセットする。なお、図５において「Ｔ」とは、セットすることを意味する。Ｓ２４０の処理後は、Ｓ２６０に進む。
【００７１】
Ｓ２６０では、ＯＳ１２ａを介して印刷アプリ１２ｃを起動させ、生成した画像データ及び設定情報を含む、試印刷用の印刷用画像情報を、印刷アプリ１２ｃへ送信する。なお、ここでいう送信とは、印刷アプリ１２ｃへ引き渡すことを意味する。印刷用画像情報の送信後、Ｓ２７０で、ＯＳ１２ａに対してバックグランドへの遷移を要求し、これにより、レーベル作成アプリ１２ｂによる処理はＯＳ１２ａによってバックグラウンドへ遷移される。バックグラウンドへ遷移された後は、Ｓ１３０以下の処理をバックグラウンドにて行う。
【００７２】
Ｓ１５０で、印刷モードが本印刷モードである場合は、Ｓ１６０に進む。Ｓ１６０では、本印刷用の画像データを生成する。Ｓ１７０では、媒体サイズをレーベル、即ちレーベル面８ａのサイズに設定し、媒体種類をディスクに設定する。Ｓ１８０では、Ｓ２３０と同様に印刷コマンドを取得する。Ｓ１９０では、本印刷中フラグをセットする。Ｓ１９０からＳ２６０に移行した場合、Ｓ２６０では、生成した画像データ及び設定情報を含む、本印刷用の印刷用画像情報を、印刷アプリ１２ｃへ送信する。
【００７３】
Ｓ１５０で、印刷モードが両印刷モードである場合は、Ｓ２５０に進む。Ｓ２５０では、両印刷データ処理を行う。両印刷データ処理とは、要するに、Ｓ２００〜Ｓ２４０による試印刷用の印刷用画像情報を生成する処理と、Ｓ１６０〜Ｓ１９０による本印刷用の印刷用画像情報を生成する処理との両方を行うことである。なお、Ｓ２５０では、両印刷モードであることを示す両印刷コマンドを生成する。Ｓ２５０からＳ２６０に移行した場合、Ｓ２６０では、試印刷用及び本印刷用の双方の印刷用画像情報を、印刷コマンドと共に印刷アプリ１２ｃへ送信する。
【００７４】
Ｓ１４０で、ユーザにより印刷指示が行われていない場合は、Ｓ３１０（図６参照）へ移行する。Ｓ３１０では、印刷モード設定スイッチ４５を介して印刷モードが変更されたか否か判断する。印刷モードが変更された場合は、Ｓ３２０に移行する。Ｓ３２０では、変更された印刷モードを保存する。Ｓ３３０では、変更後の印刷モードに応じたプレビュー画像を印刷設定画面４０に表示させる。Ｓ３３０の処理後はＳ１３０に移行する。
【００７５】
Ｓ３１０で、印刷モードが変更されていない場合は、Ｓ３４０に移行する。Ｓ３４０では、ＯＳ１２ａにより、レーベル作成アプリ１２ｂをバックグラウンドからフォアグラウンドへ遷移させる処理が行われたか否か判断する。より具体的には、バックグラウンドからフォアグラウンドへ遷移された直後であるか否か、換言すれば、今回のＳ３４０の処理がバックグラウンドからフォアグラウンドに遷移された後の例えば１回目の処理であるか否かを判断する。
【００７６】
フォアグラウンドへ遷移させる処理が行われていない場合、すなわち、まだバックグラウンドで動作中であるか若しくはすでにフォアグラウンドで動作中である場合は、Ｓ１３０に移行する。フォアグラウンドへ遷移させる処理が行われた場合は、Ｓ３５０に移行する。
【００７７】
Ｓ３５０では、試印刷中フラグがセットされているか否か判断する。試印刷中フラグがセットされている場合は、Ｓ３６０に移行する。Ｓ３６０では、試印刷中フラグをクリアする。Ｓ３７０では、試印刷が完了したか否か判断する。具体的には、印刷アプリ１２ｃによって試印刷完了フラグがセットされているか否か判断する。
【００７８】
試印刷完了フラグがクリアされている場合は、Ｓ１３０に移行する。試印刷フラグがセットされている場合は、Ｓ３８０に移行する。Ｓ３８０では、試印刷完了フラグをクリアする。なお、試印刷完了フラグは、ＯＳ１２ａの管理下で、記憶部１２における特定の記憶領域にセットされるフラグであり、レーベル作成アプリ１２ｂ及び印刷アプリ１２ｃの双方がアクセスできるフラグである。
【００７９】
Ｓ３９０では、本印刷問合せ画面５６（図３右参照）を表示させる。Ｓ４００では、本印刷問合せ画面５６に対するユーザ操作を判断する。本印刷実行ボタン５７がタップされた場合は、Ｓ４１０に移行する。Ｓ４１０では、印刷モードを本印刷モードに切り替えて、Ｓ１６０へ移行する。これにより、本印刷のための処理が行われる。
【００８０】
Ｓ４００で、本印刷問合せ画面５６においてキャンセルボタン５８がタップされた場合は、Ｓ４２０に移行する。Ｓ４２０では、本印刷問合せ画面５６を削除し、Ｓ１３０に移行する。
【００８１】
Ｓ３５０で、試印刷中フラグがクリアされている場合は、Ｓ４３０に移行する。Ｓ４３０では、本印刷中フラグがセットされているか否か判断する。本印刷中フラグがクリアされている場合は、Ｓ１３０に移行する。本印刷中フラグがセットされている場合は、Ｓ４４０に移行する。
【００８２】
Ｓ４４０では、本印刷中フラグをクリアする。Ｓ４５０では、本体確認ガイダンス７１（図４（ａ）参照）を表示させる。Ｓ４５０の処理後はＳ１３０に移行する。
（６）印刷データ送信処理
印刷アプリ１２ｃに基づいて制御部１１が実行する印刷データ送信処理について、図７及び図８を用いて説明する。制御部１１は、起動後、レーベル作成アプリ１２ｂの起動要因が発生した場合、印刷アプリ１２ｃを実行する。
【００８３】
制御部１１は、印刷アプリ１２ｃを開始すると、Ｓ６１０で、印刷用の画像データを受信したか否か判断する。ここでいう受信とは、他のソフトウェアからデータが引き渡されることを意味する。印刷用の画像データを受信した場合、Ｓ６２０に移行する。なお、画像データの受信時にバックグラウンドで動作していた場合は、ＯＳ１２ａを介してフォアグラウンドへ遷移される。
【００８４】
Ｓ６２０では、受信した画像データを取得し、プリントプレビュー画面６０を表示させる。Ｓ６３０では、受信した画像データの送信元がレーベル作成アプリ１２ｂであるか否か、つまりレーベル作成アプリ１２ｂから画像データを含む印刷用画像情報が受信されたか否か判断する。
【００８５】
送信元がレーベル作成アプリ１２ｂでは無い場合は、Ｓ６８０に移行する。Ｓ６８０では、受信した画像データを現在の設定にてプレビュー表示させ、Ｓ７４０（図８参照）に移行する。
【００８６】
Ｓ６３０で、送信元がレーベル作成アプリ１２ｂである場合は、Ｓ６４０に移行する。Ｓ６４０では、受信した印刷用画像情報に含まれる印刷コマンドの内容を判断する。印刷コマンドが通常印刷コマンドである場合は、Ｓ７１０（図８参照）へ移行する。
【００８７】
Ｓ７１０では、受信した印刷用画像情報に含まれる設定情報において設定されている媒体サイズがＡ４又はレーベルのどちらであるか判断する。媒体サイズがＡ４である場合は、Ｓ７２０に移行する。
【００８８】
Ｓ７２０では、プリントプレビュー画面６０において、受信した画像データをＡ４サイズでプレビュー表示する。つまり、試印刷プレビュー画像６１を表示させる。Ｓ７３０では、プリントプレビュー画面６０において、印刷装置情報６２として、媒体サイズが「Ａ４」であることを表示する。Ｓ７４０では、プリントボタン６３がタップされるのを待つ。プリントボタン６３がタップされたら、Ｓ７５０に移行する。
【００８９】
Ｓ７５０では、受信した印刷用画像情報に基づいて、試印刷させるための印刷データを生成し、その印刷データを印刷装置５へ送信する。これにより、印刷装置５で試印刷が行われる。
【００９０】
Ｓ７６０では、受信した画像データの送信元がレーベル作成アプリ１２ｂであるか否か判断する。送信元がレーベル作成アプリ１２ｂではない場合は、Ｓ６１０に移行する。送信元がレーベル作成アプリ１２ｂである場合は、Ｓ７７０に移行する。
【００９１】
Ｓ７７０では、試印刷完了フラグをセットする。Ｓ７８０では、レーベル作成アプリ１２ｂを、ＯＳ１２ａを介してフォアグラウンドへ遷移させる。Ｓ７９０では、印刷アプリ１２ｃを、ＯＳ１２ａを介してバックグラウンドに遷移させる。Ｓ７９０の処理後は、Ｓ６１０に以降し、バックグラウンドで動作を続ける。
【００９２】
Ｓ７１０で、媒体サイズがレーベルである場合は、Ｓ８００に移行する。Ｓ８００では、プリントプレビュー画面６０において、受信した画像データをレーベルサイズでプレビュー表示する。つまり、本印刷用のプレビュー画像を表示させる。Ｓ８１０では、プリントプレビュー画面６０において、印刷装置情報６２として、媒体サイズが「レーベル」であることを表示する。Ｓ８２０では、プリントボタン６３がタップされるのを待つ。プリントボタン６３がタップされたら、Ｓ８３０に移行する。
【００９３】
Ｓ８３０では、受信した印刷用画像情報に基づいて、本印刷させるための印刷データを生成し、その印刷データを印刷装置５へ送信する。これにより、印刷装置５で、ディスク８への本印刷が行われる。Ｓ８４０では、本体確認ガイダンス７１を表示させる。Ｓ８４０の処理後はＳ６１０に移行する。
【００９４】
Ｓ６４０で、印刷コマンドがクイック印刷コマンドである場合は、Ｓ６５０に移行する
。Ｓ６５０では、受信した印刷用画像情報に含まれる設定情報において設定されている媒体サイズがＡ４又はレーベルのどちらであるか判断する。媒体サイズがＡ４である場合は、Ｓ７５０（図８参照）に移行し、以降、試印刷のための処理を行う。媒体サイズがレーベルである場合は、Ｓ８３０（図８参照）に移行し、以降、本印刷のための処理を行う。
【００９５】
Ｓ６４０で、印刷コマンドが両印刷コマンドである場合は、Ｓ６６０に移行する。Ｓ６６０では、試印刷処理を行う。具体的に、Ｓ７２０〜Ｓ７７０と同様の処理を行い、試印刷を実行させる。続くＳ６７０では、本印刷処理を行う。具体的に、Ｓ８００〜Ｓ８４０と同様の処理を行い、本印刷を実行させる。Ｓ６７０の処理後は、Ｓ６１０に移行する。
【００９６】
（７）実施形態の効果
以上説明した実施形態によれば、以下の（ａ）〜（ｅ）の効果を奏する。
（ａ）本実施形態によれば、ユーザは、レーベル作成アプリ１２ｂを用いて、印刷モードを試印刷モード及び本印刷モードの何れかに容易に設定でき、印刷モードに応じた印刷用画像情報を印刷プログラムへ引き渡すことができる。これにより、印刷プログラムによって、印刷モードに応じた印刷データが印刷装置へ送信され、印刷装置において印刷モードに応じた印刷媒体へ印刷される。そのため、レーベル作成アプリ１２ｂと印刷アプリ１２ｃとの協働にて、レーベル作成アプリ１２ｂで作成された画像の試印刷及び本印刷を効率的に行わせることができる。
【００９７】
（ｂ）レーベル作成アプリ１２ｂは、印刷設定画面４０において、印刷モードに応じたプレビュー画像を表示させる。そのため、ユーザは、現在の印刷モードを容易に把握でき、且つその印刷モードで印刷させた場合の印刷結果を容易にイメージすることができる。
【００９８】
（ｃ）試印刷モードにおいては、ユーザにより作成された画像に、外径境界線５３、内径境界線５４及び内径領域画像５５が付加される。そのため、ユーザは、試印刷された結果から、実際に本印刷させた場合に得られる印刷結果をより正確にイメージすることができる。
【００９９】
（ｄ）レーベル作成アプリ１２ｂは、試印刷用の印刷用画像情報を印刷アプリ１２ｃに引き渡してバックグラウンドに遷移した後、試印刷が実行されたことにより再びフォアグラウンドに遷移した場合は、本印刷問合せ画面５６を表示させる。そして、ユーザにより本印刷の要求が行われたら、本印刷のための処理を行う。そのため、ユーザは、試印刷から本印刷へ効率的に移行させることができる。
【０１００】
（ｅ）ユーザは、印刷モード設定スイッチ４５を操作することによって、印刷モードを容易に切り替えることができる。さらに、ユーザは、クイック印刷設定を有効又は無効に設定でき、クイック印刷又は通常印刷のどちらかで印刷を行わせることができる。
【０１０１】
なお、本実施形態において、レーベル作成アプリ１２ｂは本発明の画像処理プログラムの一例に相当する。印刷アプリ１２ｃは本発明の印刷プログラムの一例に相当する。ディスク８は本発明の特定の印刷媒体の一例に相当する。Ａ４サイズの普通紙は本発明の他の印刷媒体の一例に相当する。通常印刷における処理は本発明の第１の手順の一例に相当し、クイック印刷における処理は本発明の第２の手順の一例に相当し、通常印刷又はクイック印刷を示す印刷コマンドは本発明の手順情報の一例に相当する。内径領域画像５５は本発明の特定の画像の一例に相当する。
【０１０２】
また、Ｓ１１０の処理は本発明の画像生成処理の一例に相当する。Ｓ１３０の処理は本発明の画像表示処理の一例に相当する。Ｓ１２０，Ｓ３１０，Ｓ３２０の処理は本発明の印刷モード設定処理の一例に相当する。Ｓ１６０〜Ｓ２４０の処理は本発明の画像情報生
成処理の一例に相当する。Ｓ２６０の処理は本発明の画像情報引渡処理の一例に相当する。Ｓ３９０の処理は本発明の問合せ処理の一例に相当する。Ｓ４００の処理は本発明の要否変更受付処理の一例に相当する。Ｓ４１０の処理は本発明の印刷モード変更処理の一例に相当する。Ｓ１８０，Ｓ２３０の処理は本発明の手順指定処理の一例に相当する。Ｓ４５０の処理は本発明のメッセージ表示処理の一例に相当する。
【０１０３】
［他の実施形態］
以上、本発明の実施形態について説明したが、本発明は上述の実施形態に限定されることなく、種々変形して実施することができる。
【０１０４】
（１）印刷モードの設定方法は、印刷モード設定スイッチ４５の操作とは異なる方法であってもよい。クイック印刷設定方法についても、クイック印刷設定スイッチ４６の操作とは異なる方法であってもよい。
【０１０５】
（２）試印刷させる印刷媒体は、Ａ４サイズ以外のサイズであってもよいし、普通紙以外の印刷媒体であってもよい。試印刷用の印刷媒体のサイズ及び種類の少なくとも一方をユーザが任意に指定できてもよい。
【０１０６】
（３）図６において、Ｓ３８０の処理後、Ｓ３９０の本印刷問合せ画面５６の表示を行うこと無く、Ｓ４１０へ移行するようにしてもよい。つまり、試印刷の実行後、ユーザの意思にかかわらず、続けて自動的に本印刷を実行させるようにしてもよい。
【０１０７】
（４）本発明の印刷媒体は、円板状の被記憶媒体８に限定されない。また、本発明の情報処理装置は、上記実施形態で示した携帯型の情報処理装置１０に限定されない。
（５）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本発明の実施形態である。
【符号の説明】
【０１０８】
５…印刷装置、８…被記憶媒体（ディスク）、８ａ…レーベル面、８ｂ…内径領域、１０…情報処理装置、１１…制御部、１２…記憶部、１２ａ…ＯＳ、１２ｂ…レーベル作成アプリ、１２ｃ…印刷アプリ、１３…表示部、１４…入力部、１４ａ…タッチパネル、２５…表示領域、３０…レーベル編集画面、３１…媒体表示画像、３２…編集完了ボタン、４０…印刷設定画面、４１…本印刷プレビュー画像、４２，５２…作成画像、４３…媒体サイズ情報、４４…内径設定ボタン、４５…印刷モード設定スイッチ、４６…クイック印刷設定スイッチ、４７…印刷ボタン、５１…試印刷プレビュー画像、５３…外径境界線、５４…内径境界線、５５…内径領域画像、５６…本印刷問合せ画面、６０…プリントプレビュー画面、６１…試印刷プレビュー画像、６２…印刷装置情報、６３…プリントボタン、６６…本印刷プレビュー画像、７１…本体確認ガイダンス。
【図１】
2019067107.tif 000003
【図２】
2019067107.tif 000004
【図３】
2019067107.tif 000005
【図４】
2019067107.tif 000006
【図５】
2019067107.tif 000007
【図６】
2019067107.tif 000008
【図７】
2019067107.tif 000009
【図８】
2019067107.tif 000010